【事件の表示】
　特許第２９９８５９８号「体重記憶装置」の請求項１ないし５に係る特許に対する特許異議の申立てについて、次のとおり決定する。
【結　論】
　訂正を認める。
　特許第２９９８５９８号の請求項１ないし５に係る特許を維持する。
【理　由】
【１】手続きの経緯
　本件特許第２９９８５９８号発明は、平成７年７月１０日に特許出願され、平成１１年１１月５日にその特許の設定登録がなされ、その後、株式会社タニタより特許異議の申立てがなされ、取消理由通知がなされ、その指定期間内である平成１４年６月１８日に訂正請求がなされたものである。
【２】訂正の適否についての判断
Ａ．訂正の内容
・特許請求の範囲に関する訂正
　訂正事項ａ
　　明細書の特許請求の範囲の請求項１における「日付を指定する日付指定手段と、複数の時間帯の一つを指定する時間帯指定手段と、体重を入力する体重入力手段と、前記体重入力手段より入力された複数日分の体重を前記日付指定手段により指定された日付と前記時間帯指定手段により指定された時間帯とに対応付けて記憶する体重記憶手段と、前記体重記憶手段に記憶された体重を提示する提示手段とを備え、前記提示手段は、前記体重記憶手段に記憶された体重のうち前記時間帯指定手段により指定された時間帯に対応する体重のみを提示する構成とした体重記憶装置。」を、「日付を指定する日付指定手段と、複数の時間帯の一つを指定する時間帯指定手段と、体重を入力する体重入力手段と、前記体重入力手段より入力された複数日分の体重を前記日付指定手段により指定された日付と前記時間帯指定手段により指定された時間帯とに対応付けて記憶する体重記憶手段と、前記体重記憶手段に記憶された体重を提示する提示手段とを備え、前記提示手段は、前記体重記憶手段に記憶された体重のうち前記時間帯指定手段により指定された時間帯に対応する体重のみを提示し、前記時間帯指定手段は、時刻を測定する時計を備え、前記時計が示す時刻に基づき時間帯を指定する構成とした体重記憶装置。」と訂正する。
．発明の詳細な説明に関する訂正
　訂正事項ｂ
　　前記訂正に伴い、明細書中の発明の詳細な説明の段落番号【００１０】を、「すなわち、体重記憶装置は、日付を指定する日付指定手段と、複数の時間帯の一つを指定する時間帯指定手段と、体重を入力する体重入力手段と、体重入力手段より入力された複数日分の体重を日付指定手段により指定された日付と時間帯指定手段により指定された時間帯とに対応付けて記憶する体重記憶手段と、体重記憶手段に記憶された体重を提示する提示手段とを備え、提示手段は、体重記憶手段に記憶された体重のうち時間帯指定手段により指定された時間帯に対応する体重のみを提示し、時間帯指定手段は、時刻を測定する時計を備え、前記時計が示す時刻に基づき時間帯を指定する構成としている。」と訂正する。
Ｂ．訂正の目的の適否、新規事項の有無及び拡張・変更の存否
　訂正事項ａについて、
　　訂正事項ａは、訂正前の特許請求の範囲の請求項１における時間帯指定手段の構成を限定する訂正であり、特許請求の範囲の減縮に該当する。
　訂正事項ｂについて、
　　訂正事項ｂは、前記訂正事項ａにより明細書の特許請求の範囲を訂正したことに基づいて、［課題を解決するための手段及び作用］の記載を明瞭にするものであり、特許法第１２０条の４第２項ただし書き第３号に規定する「明りょうでない記載の釈明」に該当するものである。
　そして、前記訂正事項ａ、ｂは、願書に添付した明細書又は図面に記載した事項の範囲内におけるものであり、かつ、実質上、特許請求の範囲を拡張し、又は変更するものではない。
Ｃ．むすび
　したがって、前記訂正は、特許法第１２０条の４第２項及び同条第３項で準用する第１２６条第２項及び第３項の規定に適合するので、当該訂正を認める。
【３】特許異議の申立てについての判断（取消理由についての判断）
Ａ．申立ての理由の概要
　特許異議申立人株式会社タニタは、請求項１〜５に係る発明は、甲第１号証（特開平４−２２１５２８号公報）、甲第２号証（特開平４−２０４１２１号公報）、甲第３号証（特開昭５５−８７９２１号公報）、甲第４号証（特開昭６１−２５８１２４号公報）、甲第５号証（実願昭６０−９９０６５号（実開昭６２−９１３３号）のマイクロフィルム）をもとに容易に発明をすることができたものであり、特許法第２９条第２項の規定により、特許を受けることができないものであるから、特許を取り消すべきと主張している。
Ｂ．本件発明
　　前記【２】で示したように訂正が認められるから、本件の請求項１〜５に係る発明は、前記訂正請求に係る訂正明細書の特許請求の範囲に記載された事項により特定される次のとおりのものである。
　【請求項１】日付を指定する日付指定手段と、複数の時間帯の一つを指定する時間帯指定手段と、体重を入力する体重入力手段と、前記体重入力手段より入力された複数日分の体重を前記日付指定手段により指定された日付と前記時間帯指定手段により指定された時間帯とに対応付けて記憶する体重記憶手段と、前記体重記憶手段に記憶された体重を提示する提示手段とを備え、前記提示手段は、前記体重記憶手段に記憶された体重のうち前記時間帯指定手段により指定された時間帯に対応する体重のみを提示し、前記時間帯指定手段は、時刻を測定する時計を備え、前記時計が示す時刻に基づき時間帯を指定する構成とした体重記憶装置。
【請求項２】提示手段は、提示すべき体重をグラフ化するグラフ生成手段と、前記グラフ生成手段により生成されたグラフを表示する表示手段とを備え、前記グラフ生成手段は、体重記憶手段に記憶された体重のうち時間帯指定手段により指定された時間帯に対応する体重のみをグラフ化する構成とした請求項１記載の体重記憶装置。
【請求項３】日付を指定する日付指定手段と、複数の時間帯の一つを指定する時間帯指定手段と、体重を入力する体重入力手段と、前記体重入力手段より入力された体重を前記日付指定手段により指定された日付と前記時間帯指定手段により指定された時間帯とに対応付けて記憶する体重記憶手段と、前記体重記憶手段に記憶された体重を提示する提示手段とを備え、前記体重入力手段は、時間帯指定手段により指定された時間帯に対応付けて体重記憶手段に記憶された体重のうち最も新しい日付に対応付けて記憶された体重を読み出して保持し、保持した体重を前記提示手段に提示せしめる保持手段と、前記保持手段に保持されている体重を増加せしめる増加指示手段と、前記保持手段に保持されている体重を減少せしめる減少指示手段と、前記保持手段に保持されている体重を前記体重記憶手段に記憶せしめる記憶指示手段とを備えた体重記憶装置。
【請求項４】時間帯指定手段は、時刻を測定する時計を備え、前記時計が示す時刻に基づき時間帯を指定する構成とした請求項３記載の体重記憶装置。
【請求項５】日付を指定する日付指定手段と、複数の時間帯の一つを指定する時間帯指定手段と、体重を入力する体重入力手段と、前記体重入力手段より入力された複数日分の体重を前記日付指定手段により指定された日付と前記時間帯指定手段により指定された時間帯とに対応付けて記憶する体重記憶手段とを備え、前記時間帯指定手段は、日付指定手段により指定された日付に対応付けて体重記憶手段に記憶された体重の個数に基づき時間帯を指定する構成とした体重記憶装置。
Ｃ．刊行物等
　当審で通知した取消しの理由で引用した刊行物１には、
　刊行物１：特開平４−２２１５２８号公報（甲第１号証）
　　この請求項１、第１欄第１４行〜１８行、同第２６〜３２行、同３３〜３６行、同第４７行〜第２欄第９行、同第３１〜４３行、第５欄第１０〜１６行、同第３１〜４４行、第６欄第１６〜２１行には、時刻修正等に操作するＳ５キー、測定日時を格納するレジスタＤｚと、複数の識別データの一つを指定するＳ２キーと、血圧データの最高値及び最低値を入力する血圧測定部と、前記血圧測定部より入力された複数日時分の血圧データの最高値及び最低値を測定日時と前記Ｓ２キーにより指定された識別データとに対応付けて記憶するＲＡＭと、前記ＲＡＭに記憶された血圧データの最高値及び最低値を提示する表示手段とを備え、前記表示手段は、前記ＲＡＭに記憶された血圧データの最高値及び最低値のうち前記Ｓ２キーにより指定された識別データに対応する血圧データの最高値及び最低値のみを提示する構成とした血圧記憶装置において、前記表示手段は、表示すべき血圧データの最高値及び最低値をグラフ化するグラフ生成手段と、前記グラフ生成手段により生成されたグラフを表示する液晶表示部とを備え、前記グラフ生成手段は、ＲＡＭに記憶された血圧データの最高値及び最低値のうちＳ２キーにより指定された識別データに対応する血圧データの最高値及び最低値のみをグラフ化する構成とした血圧記憶装置が記載されている。
　同じく取消しの理由で引用した刊行物２には、
　刊行物２：実願昭６０−９９０６５号（実開昭６２−９１３３号）のマイクロフィルム（甲第５号証）
　　この第１頁第１５〜１６行、同第１８行〜第２頁第１０行、第４頁第７〜１１行、第５頁第６〜８行には、身体の状態を測定する測定機器として体重計及び体温計があること、及び、体重や体温などの身体の状態を測定するにあたっては毎日同じ時間帯での測定が望ましいこと、そのため日付データと体重測定部１９からの体重データとを組にして複数組データメモリ部１３に記憶する点が記載されている。
Ｄ．対比・判断
（請求項１に係る発明について）
　　本件請求項１に係る発明と前記刊行物１及び２に記載のものとを対比すると、両刊行物に記載のものは、本件請求項１に係る発明を特定する事項である、「複数の時間帯の一つを指定する時間帯指定手段」が、「時計が示す時刻に基づき時間帯を指定する」構成を備えていない。
　すなわち、刊行物１のものは、識別データ（Ｎｏ．１、Ｎｏ．２・・・）（「時間帯」に相当する）をＳ2キー（複数の時間帯の一つを指定する「時間帯指定手段」に相当する）により選択するものであって、時間帯指定手段が「時刻を測定する時計を備え、前記時計が示す時刻に基づき時間帯を指定する」ものではない。
　また、刊行物２のものは、メモリを備えた体重計において、時計が特定時間帯になったことを報知する構成を有するものの、該構成は、（単独の）特定時間帯になったことを時計が報知するものであって、複数の時間帯の一つを指定するものではない。
　そして、刊行物１のものは（操作者が）Ｓ2キーを操作することにより、複数の時間帯の一つを指定しているのであり、一方、刊行物２のものには、そもそも複数の時間帯の一つを時計が示す時刻に基づき指定するものではない以上、刊行物２のものを刊行物１のものに適用可能であるとしたところで、時間帯指定手段を、時計が示す時刻に基づき、複数の時間帯の一つを指定するように構成するという技術思想に到達し得るものではない。
　そして、本件請求項１に係る発明は、前記構成により、体重を記憶させる操作が容易になるという顕著な効果を奏するものであるから、本件請求項１に係る発明が前記刊行物１及び２に記載のものから容易に発明をすることができたものであるとはいえない。
　　また、本件請求項１に係る発明と、特許異議申立人が証拠として提示した甲第２〜４号証に記載のものとを対比すると、前記甲第２〜４号証に記載のものは、いずれも、本件請求項１に係る発明を特定する前記事項を備えておらず、かつ、前記甲第１〜５号証に記載のものをどのように組み合わせたところで、本件請求項１に係る発明に到達することはできない。
（請求項２に係る発明について）
　　請求項１に係る発明についての判断と同様である。
（請求項３に係る発明について）
　　本件請求項３に係る発明と前記刊行物１及び２に記載のものとを対比すると、両刊行物に記載のものは、本件請求項３に係る発明を特定する事項である、「保持手段に保持されている体重を増加せしめる増加指示手段と、前記保持手段に保持されている体重を減少せしめる減少指示手段」とを備えておらず、当該事項により、本件請求項３に係る発明は、体重を入力する際に、その日の体重が前日と比較してどの程度増減したかを常にユーザーに意識させるので、ユーザーに食生活全般を含む一日の生活が、日々の体重にどのように反映されるかを明確に意識付け、体重を通して、食生活全般を含む一日の生活をより上手に管理することが可能となるという顕著な効果を奏するものであり、本件請求項３に係る発明が前記刊行物１及び２に記載のものから容易に発明をすることができたものであるとはいえない。
　　また、本件請求項３に係る発明と、特許異議申立人が証拠として提示した甲第２〜４号証に記載のものとを対比すると、前記甲第２〜４号証に記載のものは、いずれも、本件請求項３に係る発明を特定する前記事項を備えておらず、かつ、前記甲第１〜５号証に記載のものをどのように組み合わせたところで、本件請求項３に係る発明に到達することはできない。
（請求項４に係る発明について）
　　請求項３に係る発明についての判断と同様である。
（請求項５に係る発明について）
　　本件請求項５に係る発明と前記刊行物１及び２に記載のものとを対比すると、両刊行物に記載のものは、本件請求項５に係る発明を特定する事項である、「時間帯指定手段が、体重記憶手段に記憶された体重の個数に基づき時間帯を指定する」構成を備えておらず、当該事項により、本件請求項５に係る発明は、体重を記憶させる操作が容易になるという顕著な効果を奏するものであり、本件請求項５に係る発明が前記刊行物１及び２に記載のものから容易に発明をすることができたものであるとはいえない。
　　また、本件請求項５に係る発明と、特許異議申立人が証拠として提示した甲第２〜４号証に記載のものとを対比すると、前記甲第２〜４号証に記載のものは、いずれも、本件請求項５に係る発明を特定する前記構成を備えておらず、かつ、前記甲第１〜５号証に記載のものをどのように組み合わせたところで、本件請求項５に係る発明に到達することはできない。
Ｅ．むすび　
　　以上のとおりであるから、特許異議申立ての理由及び証拠によっては、本件請求項１〜５に係る特許を取り消すことができない。
　　また、他に本件請求項１〜５に係る特許を取り消すべき理由を発見しない。
　　よって、結論のとおり決定する。
【異議決定日】
平成１４年１１月６日（２００２．１１．６）
【訂正の要旨】
訂正の要旨
　明細書（特許第２９９８５９８号明細書、以下同じ）を本件訂正請求書に添付された訂正明細書のとおり、すなわち特許請求の範囲の減縮を目的として下記のとおり、また、明瞭でない記載の釈明を目的として下記のとおり訂正する。
　訂正事項ａ
　明細書の特許請求の範囲の請求項１における「日付を指定する日付指定手段と、複数の時間帯の一つを指定する時間帯指定手段と、体重を入力する体重入力手段と、前記体重入力手段より入力された複数日分の体重を前記日付指定手段により指定された日付と前記時間帯指定手段により指定された時間帯とに対応付けて記憶する体重記憶手段と、前記体重記憶手段に記憶された体重を提示する提示手段とを備え、前記提示手段は、前記体重記憶手段に記憶された体重のうち前記時間帯指定手段により指定された時間帯に対応する体重のみを提示する構成とした体重記憶装置。」を、「日付を指定する日付指定手段と、複数の時間帯の一つを指定する時間帯指定手段と、体重を入力する体重入力手段と、前記体重入力手段より入力された複数日分の体重を前記日付指定手段により指定された日付と前記時間帯指定手段により指定された時間帯とに対応付けて記憶する体重記憶手段と、前記体重記憶手段に記憶された体重を提示する提示手段とを備え、前記提示手段は、前記体重記憶手段に記憶された体重のうち前記時間帯指定手段により指定された時間帯に対応する体重のみを提示し、前記時間帯指定手段は、時刻を測定する時計を備え、前記時計が示す時刻に基づき時間帯を指定する構成とした体重記憶装置。」と訂正する。
訂正事項ｂ
　前記訂正に伴い、明細書中の発明の詳細な説明の段落番号【００１０】を、「すなわち、体重記憶装置は、日付を指定する日付指定手段と、複数の時間帯の一つを指定する時間帯指定手段と、体重を入力する体重入力手段と、体重入力手段より入力された複数日分の体重を日付指定手段により指定された日付と時間帯指定手段により指定された時間帯とに対応付けて記憶する体重記憶手段と、体重記憶手段に記憶された体重を提示する提示手段とを備え、提示手段は、体重記憶手段に記憶された体重のうち時間帯指定手段により指定された時間帯に対応する体重のみを提示し、時間帯指定手段は、時刻を測定する時計を備え、前記時計が示す時刻に基づき時間帯を指定する構成としている。」と訂正する。
「すなわち、体重記憶装置は、日付を指定する日付指定手段と、複数の時間帯の一つを指定する時間帯指定手段と、体重を入力する体重入力手段と、体重入力手段より入力された複数日分の体重を日付指定手段により指定された日付と時間帯指定手段により指定された時間帯とに対応付けて記憶する体重記憶手段と、体重記憶手段に記憶された体重を提示する提示手段とを備え、提示手段は、体重記憶手段に記憶された体重のうち時間帯指定手段により指定された時間帯に対応する体重のみを提示し、時間帯指定手段は、時刻を測定する時計を備え、前記時計が示す時刻に基づき時間帯を指定する構成としている。」と訂正する。
（５４）【発明の名称】
体重記憶装置
（５７）【特許請求の範囲】
　【請求項１】日付を指定する日付指定手段と、複数の時間帯の一つを指定する時間帯指定手段と、体重を入力する体重入力手段と、前記体重入力手段より入力された複数日分の体重を前記日付指定手段により指定された日付と前記時間帯指定手段により指定された時間帯とに対応付けて記憶する体重記憶手段と、前記体重記憶手段に記憶された体重を提示する提示手段とを備え、前記提示手段は、前記体重記憶手段に記憶された体重のうち前記時間帯指定手段により指定された時間帯に対応する体重のみを提示
し、前記時間帯指定手段は、時刻を測定する時計を備え、前記時計が示す時刻に基づき時間帯を指定
　【請求項２】提示手段は、提示すべき体重をグラフ化するグラフ生成手段と、前記グラフ生成手段により生成されたグラフを表示する表示手段とを備え、前記グラフ生成手段は、体重記憶手段に記憶された体重のうち時間帯指定手段により指定された時間帯に対応する体重のみをグラフ化する構成とした請求項１記載の体重記憶装置。
　【請求項３】日付を指定する日付指定手段と、複数の時間帯の一つを指定する時間帯指定手段と、体重を入力する体重入力手段と、前記体重入力手段より入力された体重を前記日付指定手段により指定された日付と前記時間帯指定手段により指定された時間帯とに対応付けて記憶する体重記憶手段と、前記体重記憶手段に記憶された体重を提示する提示手段とを備え、前記体重入力手段は、時間帯指定手段により指定された時間帯に対応付けて体重記憶手段に記憶された体重のうち最も新しい日付に対応付けて記憶された体重を読み出して保持し、保持した体重を前記提示手段に提示せしめる保持手段と、前記保持手段に保持されている体重を増加せしめる増加指示手段と、前記保持手段に保持されている体重を減少せしめる減少指示手段と、前記保持手段に保持されている体重を前記体重記憶手段に記憶せしめる記憶指示手段とを備えた体重記憶装置。
　【請求項４】時間帯指定手段は、時刻を測定する時計を備え、前記時計が示す時刻に基づき時間帯を指定する構成とした請求項３記載の体重記憶装置。
　【請求項５】日付を指定する日付指定手段と、複数の時間帯の一つを指定する時間帯指定手段と、体重を入力する体重入力手段と、前記体重入力手段より入力された複数日分の体重を前記日付指定手段により指定された日付と前記時間帯指定手段により指定された時間帯とに対応付けて記憶する体重記憶手段とを備え、前記時間帯指定手段は、日付指定手段により指定された日付に対応付けて体重記憶手段に記憶された体重の個数に基づき時間帯を指定する構成とした体重記憶装置。
【発明の詳細な説明】
　【０００１】
　【産業上の利用分野】
　本発明は、体重を記憶する装置に関するものである。
　【０００２】
　【従来の技術】
　近年、糖尿病など、過剰なカロリー摂取を一因とする病気が増加しており、これに伴って、食事制限を行なうなどして体重を減少させる必要に迫られる人が増加している。
　【０００３】
　また、病人以外でも、痩身を美容の一つとしてとらえ、痩身を目的としていわゆるエステティックサロンに通う女性など、体重のコントロールに神経を使う人が多数存在する。
　【０００４】
　従来、こうした人々は、毎日体重を測定する度に、測定した体重をノートに記録するなどして自分で体重を記録し、管理しなければならなかったが、近年になって、この記録と管理の作業を軽減するため、毎日一度、ほぼ同じ時刻に体重を測定することを前提として、体重計に半導体メモリなどの記憶手段を設けて日々測定された体重を記憶させておき、必要に応じてそれを一覧表やグラフなどとして表示する体重記憶装置が提案されている。
　【０００５】
　【発明が解決しようとする課題】
　しかしながら、健康に痩せることを補助するためには、一日に一度体重を記憶するだけでは十分とは言い難い。
　【０００６】
　なぜならば、体重の変化は、食事による摂取カロリーと、基礎代謝やその他による消費カロリーの差に基づくものであるが、一日に一度体重を記憶するだけでは、日に何度、何時頃にどれくらい食べたといった、食生活全般に渡る管理が一切できないからである。
　【０００７】
　さらに詳しく言えば、摂取カロリーが同じであっても、朝食や昼食をとらない欠食や、夕食の際に多量に食べるいわゆるドカ食いなどは、健康を害する一因となる。同様に、夕食の時間が遅く、夕食後すぐに就寝するなどといった生活習慣も、健康を損なう一因である。
　【０００８】
　しかしながら、従来の体重記憶装置には、こうした食生活全般に渡る管理が全くできないという問題が存在する。
　【０００９】
　【課題を解決するための手段】
　本発明は、前記課題を解決するためになされたものであり、下記の構成としている。
　【００１０】
　すなわち、体重記憶装置は、日付を指定する日付指定手段と、複数の時間帯の一つを指定する時間帯指定手段と、体重を入力する体重入力手段と、体重入力手段より入力された複数日分の体重を日付指定手段により指定された日付と時間帯指定手段により指定された時間帯とに対応付けて記憶する体重記憶手段と、体重記憶手段に記憶された体重を提示する提示手段とを備え、提示手段は、体重記憶手段に記憶された体重のうち時間帯指定手段により指定された時間帯に対応する体重のみを提示
し、時間帯指定手段は、時刻を測定する時計を備え、前記時計が示す時刻に基づき時間帯を指定
　【００１１】
　また、提示手段は、提示すべき体重をグラフ化するグラフ生成手段と、グラフ生成手段により生成されたグラフを表示する表示手段とを備え、グラフ生成手段は、体重記憶手段に記憶された体重のうち時間帯指定手段により指定された時間帯に対応する体重のみをグラフ化する構成としている。
　【００１２】
　また、日付を指定する日付指定手段と、複数の時間帯の一つを指定する時間帯指定手段と、体重を入力する体重入力手段と、体重入力手段より入力された体重を日付指定手段により指定された日付と時間帯指定手段により指定された時間帯とに対応付けて記憶する体重記憶手段と、体重記憶手段に記憶された体重を提示する提示手段とを備え、体重入力手段は、時間帯指定手段により指定された時間帯に対応付けて体重記憶手段に記憶された体重のうち最も新しい日付に対応付けて記憶された体重を読み出して保持し、保持した体重を提示手段に提示せしめる保持手段と、保持手段に保持されている体重を増加せしめる増加指示手段と、保持手段に保持されている体重を減少せしめる減少指示手段と、保持手段に保持されている体重を体重記憶手段に記憶せしめる記憶指示手段とを備えた構成としている。
　【００１３】
　また、複数の時間帯の一つを指定する時間帯指定手段と、体重を入力する体重入力手段と、体重入力手段より入力された体重を時間帯指定手段により指定された時間帯に対応付けて記憶する体重記憶手段とを備え、時間帯指定手段は、時刻を測定する時計を備え、時計が示す時刻に基づき時間帯を指定する構成としている。
　【００１４】
　また、日付を指定する日付指定手段と、複数の時間帯の一つを指定する時間帯指定手段と、体重を入力する体重入力手段と、体重入力手段より入力された複数日分の体重を日付指定手段により指定された日付と時間帯指定手段により指定された時間帯とに対応付けて記憶する体重記憶手段とを備え、時間帯指定手段は、日付指定手段により指定された日付に対応付けて体重記憶手段に記憶された体重の個数に基づき時間帯を指定する構成としている。
　【００１５】
　【作用】
　上記構成により以下の作用が得られる。
　【００１６】
　すなわち、本発明の体重記憶装置によれば、起床時、朝食後、夕食後、就寝時など、日常生活の様々な時間帯を時間帯指定手段により指定し、その時間帯に測定した体重を体重入力手段により入力し、体重記憶手段に記憶させておくので、単に体重の減少の様子を記憶するだけでなく、欠食の発生や、夕食の時刻と就寝時刻との時間差など、食生活全般にかかわる管理を、体重を通して行なうよう補助することが可能になるとともに、体重記憶手段に記憶された体重のうち時間帯指定手段により指定された時間帯に対応する体重のみを提示することにより、長期間に渡る体重変化の様子を、一日における細かな体重変化を省略して分かり易く提示可能となる。
　【００１７】
　また、体重の変化をグラフ化して表示することにより、日々の体重変化の様子を、ユーザに視覚的、直感的に提示でき、ユーザが、そのグラフの形状から、欠食の有無や夕食の時刻と就寝時刻との時間差などを一目で判定可能になるとともに、体重記憶手段に記憶された体重のうち時間帯指定手段により指定された時間帯に対応する体重のみをグラフ化することにより、長期間に渡る体重変化の様子を、一日における細かな体重変化を省略して、ユーザに分かり易く、視覚的、直感的に提示できる。
　【００１８】
　また、すでに体重記憶手段に記憶されている体重を保持手段に読み出し、それを提示手段に提示せしめながら、増加指示手段および減少指示手段により増減させて体重を入力することにより、体重を入力する際に、その日の体重が、前日の同じ時間帯の体重と比較してどの程度増減したかを、常にユーザに意識させるので、ユーザに、食生活全般を含む一日の生活が、日々の体重にどのように反映されるかを明確に意識付け、体重を通して、食生活全般を含む一日の生活をより上手に管理させることが可能になる。
　【００１９】
　また、時間帯指定手段が時計が示す時刻に基づき時間帯を自動的に指定するので、体重を記憶させる操作が容易になる。
　【００２０】
　また、時間帯指定手段が日付指定手段により指定された日付に対応付けてすでに体重記憶手段に記憶されている体重の個数に基づき時間帯を自動的に決定するので、体重を記憶させる操作が容易になる。
　【００２１】
　【実施例】
　以下、本発明の参考例および実施例を、図面を参照しながら説明する。
　【００２２】
　（参考例１）
　図１は、本発明の参考例１の体重記憶装置の構成を示すブロック図である。
　【００２３】
　図１において、１０は押しボタンにより実現した時間帯指定手段、１１はテンキーにより実現した体重入力手段、１２は半導体メモリからなる体重記憶手段、１３は液晶表示器を備えた提示手段である。
　【００２４】
　この体重記憶装置の概観を図２に示す。本参考例の体重記憶装置は、いわゆる電子手帳とほぼ同じ大きさである。
　【００２５】
　本参考例においては、時間帯は、時刻を指定するのではなく、ある程度の生活時間の変動を吸収するため、「起床時」、「朝食後」、「夕食後」、「就寝前」の四つのうちの一つとして指定される。
　【００２６】
　本参考例の体重記憶装置は、一日分、すなわち、直近の「起床時」、「朝食後」、「夕食後」、「就寝前」それぞれ一回分だけの体重を記憶する。
　【００２７】
　以下、体重記憶装置に体重を記憶させる場合の動作を説明する。
　体重を記憶させる場合には、ユーザは、体重入力手段１１を操作して体重を入力し、しかる後に、時間帯指定手段１０を構成する押しボタンのいずれか一つを押下して、その体重をいつ測定したのかを示す時間帯を入力する。
　【００２８】
　体重入力手段１１は、体重が入力されると、入力された体重を体重記憶手段１２へと供給する。
　【００２９】
　時間帯指定手段１０は、時間帯が指定されると、その指定された時間帯を体重記憶手段１２へと供給する。
　【００３０】
　体重記憶手段１２は、体重入力手段１１より体重が供給され、さらに、時間帯指定手段１０より時間帯が供給されたことにより、それらを記憶すべきであるとみなし、体重入力手段１１より供給された体重と時間帯指定手段１０より供給された時間帯とを対応づけて記憶する。
　【００３１】
　次に、体重記憶装置に体重を提示させる場合の動作を説明する。
　体重を提示させる場合には、ユーザは、体重入力手段１１は操作せずに、時間帯指定手段１０のいずれかの押しボタンを押下し、任意の時間帯を指定する。
　【００３２】
　時間帯指定手段１０は、時間帯が指定されると、その指定された時間帯を体重記憶手段１２へと供給する。
　【００３３】
　体重記憶手段１２は、体重入力手段１１より体重が供給されず、時間帯指定手段１０より時間帯が供給されたことにより、記憶している体重を提示手段１３に提示すべきであるとみなし、時間帯指定手段１０より供給された時間帯に対応付けて記憶している体重を、供給された時間帯とともに提示手段１３に供給する。
　【００３４】
　提示手段１３は、供給された時間帯と体重を液晶表示器に表示する。
　なお、ここでは、提示手段１３は、液晶表示器を用いて時間帯と体重を表示するとして説明したが、この他にも、例えば、音声合成手段とスピーカを用いて音声で提示したり、あるいは、電気信号として、パーソナルコンピュータなど他の情報機器に送るなどしてもよい。
　【００３５】
　また、体重を提示させる場合の動作としては、時間帯は提示せず、体重だけを提示するようにしても構わない。
　【００３６】
　また、時間帯指定手段１０により指定できる時間帯は、起床時、朝食後、夕食後、就寝前の四つに限定する必要はなく、これらの一部を除いたり、逆に、昼食前や昼食後など別の時間帯を追加してもよい。
　【００３７】
　本参考例によれは、起床時、朝食後、夕食後、就寝前の四つの時間帯に対して、各時間帯に測定した体重を記憶するので、記憶された体重を用いることにより、一日の食生活全般の概要を把握し、管理することが可能となる。
　【００３８】
　例えば、起床時と朝食後の体重を比較することにより、朝食をどのくらい食べたかが判定できるとともに、朝食後の体重が起床時の体重より軽い場合には、実際には朝食をとらなかったにもかかわらず通常朝食をとった場合の朝食後にあたる時間帯に体重を測定してそれを朝食後の体重として記憶させたと推測できる。すなわち、欠食があったと推測できる。同様に、夕食後に測定した体重と就寝前に測定した体重を比較することにより、夕食を食べてから寝るまでの時間が推測できる。すなわち、夕食後の体重と就寝前の体重に殆んど差がない場合には、就寝直前に夕食を食べたと推測でき、この差が大きい場合には夕食を食べてから寝るまでにそれなりの時間差があったと推測できる。
　【００３９】
　このように、本参考例によれば、各時間帯の体重から、ユーザの食生活全般の概要が管理可能となる。
　【００４０】
　なお、時間帯指定手段１０、体重入力手段１１は、提示手段中に液晶表示器などの表示器を設けてその画面上に表示し、マウスやペンなどのポインティングデバイスにより操作するようにしてもよいし、文字認識を行なわせるようにしても構わない。このようにすれば、体重記憶装置全体を小型化することが可能となる。
　【００４１】
　（実施例１）
　図３は、本発明の実施例１の体重記憶装置の構成を示すブロック図である。
　【００４２】
　図３において、３２は複数日分の体重を記憶する体重記憶手段、３４はテンキーにより実現した日付指定手段、３５はキーボードにより実現した動作指示手段である。この他、参考例１における図１と同一の構成要素については、図１と同一の番号を付している。
　【００４３】
　体重入力手段１１と日付指定手段３４は、動作指示手段３５と同一のキーボード上のキーを割り当てて使用するようにしてももちろん構わない。
　【００４４】
　以下、体重記憶装置に体重を記憶させる場合の動作を説明する。
　体重を記憶させる場合には、ユーザは、まず、動作指示手段３５を用いてこれから体重の入力を受け付けるべきことを指示し、しかる後に、日付指定手段３４によりその日の日付けを、時間帯指定手段１０により時間帯を、体重入力手段１１によりその時間帯に測定した体重を入力し、最後に、再び動作指示手段３５を用いて、入力した日付け、時間帯、体重を記憶するように指示する。動作指示手段３５を用いて入力を指示をした後、日付指定手段３４、時間帯指定手段１０、体重入力手段１１を操作する順序は任意である。
　【００４５】
　動作指示手段３５は、体重の入力を受け付けるべきことを指示されると、データ入力命令を体重記憶手段３２へと供給する。また、入力された日付け、時間帯、体重を記憶するように指示されると、データ記憶命令を体重記憶手段３２へと供給する。
　【００４６】
　体重入力手段１１は、体重が入力されると、その入力された体重を体重記憶手段３２へと供給する。
　【００４７】
　日付指定手段３４は、日付けが入力されると、その入力された日付けを体重記憶手段３２へと供給する。
　【００４８】
　時間帯指定手段１０は、時間帯が指定されると、その指定された時間帯を体重記憶手段３２へと供給する。
　【００４９】
　体重記憶手段１２は、動作指示手段３５からデータ入力命令が供給されたとき、入力動作を開始し、体重記憶手段３２から供給される日付けと、時間帯指定手段１０から供給される時間帯と、体重入力手段１１から供給される体重の全てが揃うのを待つ。
　【００５０】
　この待ち時間の間、体重記憶手段１２は、日付け、時間帯、体重のうち、すでに供給されたものを、提示手段１３に提示させる。
　【００５１】
　さらに、体重記憶手段１２は、日付け、時間帯、体重の全てが揃った後、動作指示手段３５からデータ入力命令供給されると、それら日付け、時間帯、体重を対応付けて記憶する。
　【００５２】
　次に、体重記憶装置に体重を提示させる場合の動作を説明する。
　体重を提示させる場合には、ユーザは、まず、動作指示手段３５を用いて体重を提示すべき旨を指示する。しかる後に、もし、特定の日付けに対応づけて入力した体重だけを提示させたい場合には、日付指定手段３４を用いてその日付けを指定する。体重を提示させたい日付けが複数である場合には、それら複数の日付けを入力する。また、同様に、特定の時間帯に対応づけて入力した体重だけを提示させたい場合には、時間帯指定手段１０を用いてその時間帯を指定する。体重を提示させたい時間帯が複数である場合には、それら複数の時間帯を入力する。また、特定の日付の特定の時間帯に対応付けて入力した体重だけを提示させたい場合には、日付指定手段３４を用いてその日付けを指定するとともに、時間帯指定手段１０を用いてその時間帯を指定する。
　【００５３】
　動作指示手段３５は、体重を提示すべき旨が指示されると、データ提示命令を体重記憶手段３２へと供給する。
　【００５４】
　体重記憶手段３２は、動作指示手段３５からデータ提示命令が供給されると、対応づけて記憶している全ての日付、時間帯、体重を提示手段１３に供給しする。
　【００５５】
　提示手段１３は、供給された全ての日付、時間帯、体重を提示する。
　日付指定手段３４は、日付けが入力されると、その入力された日付けを体重記憶手段３２へと供給する。
　【００５６】
　時間帯指定手段１０は、時間帯が指定されると、その指定された時間帯を体重記憶手段３２へと供給する。
　【００５７】
　体重記憶手段３２は、日付指定手段３４から日付が供給されると、その日付に対応づけて記憶している時間帯と体重を、その日付と共に提示手段１３に供給する。日付指定手段３４から複数の日付が供給された場合には、各日付に対応づけて記憶している時間帯と体重をすべて、それら日付と共に提示手段１３に供給する。
　【００５８】
　また、体重記憶手段３２は、時間帯指定手段１０から時間帯供給されると、その時間帯に対応づけて記憶している日付と体重を、その時間帯と共に提示手段１３に供給する。時間帯指定手段１０から複数の時間帯が供給された場合には、各時間帯に対応づけて記憶している日付と体重をすべて、それら時間帯と共に提示手段１３に供給する。
　【００５９】
　また、体重記憶手段３２は、日付指定手段３４から日付が供給されるとともに、時間帯指定手段１０から時間帯供給された場合には、その日付と時間帯に対応付けて記憶した体重を、その日付と時間帯とともに提示手段１３に供給する。
　【００６０】
　提示手段１３は、新たに日付、時間帯、体重が供給されたとき、それまでに提示していた内容は消し去り、新たに供給された日付、時間帯、体重を提示する。
　【００６１】
　本実施例によれば、各時間帯の体重を複数日分記憶することができるので、長期的な視点で、ユーザの食生活全般の傾向を管理することが可能となる。
　【００６２】
　また、体重記憶装置の記憶内容を、ユーザが個人で管理するだけでなく、管理栄養士やエステティシャンなど、専門的知識を有する人に見てもらえば、より適切なアドバイスを受けることが可能となる。
　【００６３】
　また、特定の時間帯に測定した体重だけを抽出して提示手段１３に提示させることができるので、各時間帯による体重の細かな変化を除いて、体重がどのくらいのペースで減少（あるいは増加、安定）しているのかを、容易に知ることが可能となる。
　【００６４】
　（実施例２）
　実施例１の提示手段１３の代わりに、図４の提示手段４３を用いてもよい。
　【００６５】
　図４中、４３ａはグラフ生成手段であり、４３ｂは表示手段であり、これらは提示手段４３に内蔵されている。
　【００６６】
　グラフ生成手段４３は、体重記憶手段１２から供給された体重群から、それら体重群を表す折れ線グラフを生成して表示手段４３ｂに供給する。体重記憶手段１２から供給された日付や時間帯も、折れ線グラフ中の座表軸の説明などに組み込んで表示手段４３ｂに供給する。
　【００６７】
　表示手段４３ｂは、グラフ生成手段４３から供給されたグラフを表示する。
　図５に、１９９５年４月２０日から４月２６日に至る日付に対応する、起床時、朝食後、夕食後、就寝前の体重が体重記憶手段３２に記憶されている場合に、表示手段４３ｂに表示されるグラフの例を示す。
　【００６８】
　図５のグラフでは、各日付ごとに、左から順に、起床時、朝食後、夕食後、就寝前の体重が表示されている。なお、この例では、時間帯は表示手段４３ｂには表示されていないが、時間帯指定手段１０により特定の時間帯に対応付けて体重記憶手段３２に記憶された体重だけを表示するように指示された場合には、グラフにはその時間帯に対応づけて記憶された体重だけが表示されるとともに、図５の「１９９５年４月」と表示されている領域の右側の空白部分に、指定された時間帯が表示される。
　【００６９】
　さて、ここで、通常の生活における一日の体重変化を考えてみると、まず、朝食を食べると、起床時の体重よりも朝食後の体重が重くなる。また、この後、一日の活動を行なうと共に、昼食と夕食を食べると、さらに少しだけ体重が増加する。その後、就寝時刻までに十分に時間があると、基礎代謝やその他の活動により体重が減少し、さらに、翌日の起床時には、睡眠中の基礎代謝により体重が減少することになる。
　【００７０】
　そして、適切な運動と食事により体重を少しずつ低下させてゆく場合には、ある日の起床時の体重と翌日の起床時の体重とでは、翌日の体重の方が軽くなるべきである。
　【００７１】こうしたことが、図５のグラフにも表れている。すなわち、各日付ごとの体重を詳しく見たとき、最も左の点が表す起床時の体重が最も軽く、その一つ右および二つ右の点が表す朝食後および夕食後の体重は次第に重くなり、四つ目の点が表す就寝前の体重は、再び少し軽くなっている。また、各日の起床時の体重よりも翌日の起床時の体重の方が軽くなっている。
　【００７２】
　このように、各時間帯に体重記憶手段３２に記憶された体重をグラフ化したとき、健康な生活を送っている場合には、各日の起床時の体重が最も軽く、朝食後の体重はそれよりも重く、夕食後の体重はそれよりもさらに重く、就寝前の体重はそれより軽くなるという、三角形を描くことになる。
　【００７３】
　一方、朝食を食べなかった場合には、朝食後の体重が記録されず、空白として残るし、もしも、朝食をとらずに適当な時刻に朝食後とみなして体重を記録しても、その体重は起床時の体重よりも軽くなってしまう。また、夕食後すぐに寝てしまった場合には、夕食後の体重と就寝前の体重がほとんど変化しないことになる。こうした場合には、グラフの形が図５の場合から変形することになる。
　【００７４】
　すなわち、各時間帯に測定した体重をグラフ化すれば、グラフの形状から食生活全般の概要を把握することが可能となり、体重を減少させる必要がある人は、体重が図５のようなきれいな三角形を描きながら、次第に低下してゆく場合に、上手に減量していると考えることができる。
　【００７５】
　本実施例によれば、表示手段４３ｂに表示されるグラフの形状から、欠食の有無や食事をとった時間などの、摂取カロリー以外の情報も視覚的、直感的に把握できるので、食生活全般に渡る管理を容易に行なうことが可能となる。
　また、時間帯指定手段１０により特定の時間帯に対応付けて体重記憶手段３２に記憶された体重だけを表示するように指示された場合には、グラフにはその時間帯に対応づけて記憶された体重だけが表示されるので、長期間に渡る体重変化の様子を、一日における細かな体重変化を省略して分かり易くグラフ表示することが可能となる。
　【００７６】
　（参考例２）
　図６は、本発明の参考例２の体重記憶装置の構成を示すブロック図である。
　【００７７】
　図６中、６２は体重記憶手段であり、６６は体重を何日分表示するかを指定する日数指定手段である。この他、図３、図４と同一の構成要素については、図３、図４と同一の番号を付している。
　【００７８】
　この体重記憶装置は、体重を提示させる場合に、ユーザが日数指定手段６６を用いて過去何日分の体重を表示させるかを指定できる点だけが、これまでに記した参考例および実施例の体重記憶装置と異なる。
　【００７９】
　すなわち、時間帯指定手段１０、体重入力手段１１、日付指定手段３４、動作指示手段３５の動作は、図３のものと全く同じである。また、提示手段４３の動作は、図４の提示手段４３と全く同じである。また、体重記憶装置に体重を記憶させる場合の体重記憶手段６２の動作は、図３の体重記憶手段３２と全く同じである。
　【００８０】
　体重を提示させる場合には、ユーザは、日数指定手段６６に、過去何日分の体重を表示させたいのかを示す日数を入力する。
　【００８１】
　日数指定手段６６は、入力された日数を体重記憶手段６２に供給する。体重記憶手段６２は、自らが記憶している体重のうち、最も新しい日付から順に、日数指定手段６６から供給された日数分の体重だけを提示手段４３に供給し、提示せしめる。
　【００８２】
　本参考例によれば、何日分の体重変化を見るかを指定できるので、長期に渡る体重変化が体重記憶手段６２に記憶されている場合でも、あまり昔の体重は無視して、最近の、希望する日数分の体重だけを提示させることが可能となる。
　【００８３】
　（参考例３）
　図７は、本発明の参考例３の体重記憶装置の構成を示すブロック図である。
　【００８４】
　図７の体重記憶装置は、図６の体重記憶装置と比較して、体重を提示させる場合に、ユーザが直近の何日分の体重を提示させたいかを入力する日数指定手段６６の代わりに、何月何日から何月何日までの体重を提示させたいかを入力する期間指定手段７７を備え、体重記憶手段６２の代わりに体重記憶手段７２を備えている点だけが異なる。
　【００８５】
　体重を記憶させる場合の各部の動作は、図６の参考例と全く同じなので、説明は省略する。
　【００８６】
　体重を提示させる場合には、ユーザは、期間指定手段７７に、何月何日から何月何日までの体重を提示させたいかを入力する。
　【００８７】
　期間指定手段７７は、入力された二つの日付を体重記憶手段７２に供給する。体重記憶手段７２は、自らが記憶している体重のうち、期間指定手段７７から供給された二つの日付が示す期間に含まれる体重だけを提示手段４３に供給し、提示せしめる。
　【００８８】
　本参考例によれば、長期に渡る体重変化が体重記憶手段６２に記憶されている場合に、直近の体重変化だけではなく、過去に遡って任意の期間の体重変化を提示させることができるので、昔の記録に基づいて反省を新たにするというように、長期に渡る体重変化の記録を振り返りながら、体重と食生活の管理をよりよく行なうことが可能となる。
　【００８９】
　（参考例４）
　図８は、本発明の参考例４の体重記憶装置の構成を示すブロック図である。
　【００９０】
　本参考例の体重記憶装置は、図１の体重記憶装置と比較して、体重変化の傾向の良否を判定する判定手段８８を有している点だけが異なる。
　【００９１】
　体重記憶装置に体重を記憶させる場合の動作は、図１の体重記憶装置と全く同じである。
　【００９２】
　一方、体重記憶装置に体重を提示させる場合には、提示手段１３には、図１の体重記憶装置と同様にして体重記憶手段１２に記憶されている体重が提示されるとともに、判定手段８８により判定された体重変化の傾向の良否が提示される。
　【００９３】
　判定手段８８は、体重記憶手段１２に記憶されている体重を読み出し、起床時と朝食後の体重を比較する。比較の結果、朝食後の体重が起床時の体重より軽ければ、朝食を食べなかったとみなし、朝食に関しては体重変化の傾向はよくないと判定する。逆に、朝食後の体重が起床時の体重より重ければ、ちゃんと朝食を食べたとみなし、朝食に関しては体重変化の傾向がよいと判定する。また、判定手段８８は、夕食後と就寝前の体重を比較し、夕食後の体重と就寝時の体重の差が所定の値（例えば１００グラム）より小さければ、夕食後すぐに床についたものとみなし、夕食に関しては体重変化の傾向はよくないと判定する。逆に、夕食後の体重より就寝時の体重が所定の値（例えば１００グラム）以上軽ければ、夕食に関しては体重変化の傾向がよいと判定する。判定手段８８は、こうして得られた判定結果を提示手段１３に提示せしめる。
　【００９４】
　なお、判定手段８８は、単に判定結果を提示手段１３に提示せしめるだけではなく、例えば夕食に関して体重変化の傾向がよくない場合には、「明日からは、食後に読書などをして、食後ある程度時間がたってから眠るようにしましよう。」などと、生活上のアドバイスを提示することもできる。
　【００９５】
　本参考例によれば、体重記憶手段１２に記憶された一日分の体重から、その日の体重変化の傾向の良否を判定し、また、翌日からの生活に対するアドバイスも与えることが可能となる。
　【００９６】
　（参考例５）
　図９は、本発明の参考例５の体重記憶装置の構成を示すブロック図である。
　【００９７】
　本参考例の体重記憶装置は、図７の体重記憶装置と比較して、目標とする体重を記憶する目標体重記憶手段９９と、体重変化の傾向の良否を判定する判定手段９８を有している点だけが異なる。
　【００９８】
　体重記憶装置に体重を記憶させる場合の動作は、図７の体重記憶装置と全く同じである。
　【００９９】
　一方、体重記憶装置に体重を提示させる場合には、提示手段１３には、体重記憶手段７２に記憶されている体重が提示されるとともに、判定手段９８により判定された体重変化の傾向の良否が提示される。
　【０１００】
　目標体重記憶手段９９には、ユーザが目標とする理想の体重が記憶されている。この目標とする体重は、ユーザが自由に設定できるようにしてもよいし、ユーザの身長を入力させ、ＢＭＩ（ＢｏｄｙＭａｓＩｎｄｅｘ）などの計算式により算出して自動的に設定するようにしてもよい。
　【０１０１】
　判定手段９８は、各日についての体重変化の傾向の良否については、図８の判定手段８８と同様に判定を行なう。
　【０１０２】
　また、判定手段９８は、記憶手段７２から最も日付が新しい日の起床時の体重とその前日の日付の起床時の体重とを読み出し、この二つの体重を、それぞれ、目標体重記憶手段９９に記憶されている体重とを比較する。これらの比較の結果、体重記憶手段７２から読み出した最も日付が新しい日の起床時の体重と目標体重記憶手段９９に記憶されている体重との差の絶対値、および、その前日の日付の起床時の体重と目標体重記憶手段９９に記憶されている体重との差の絶対値のいずれもが５００グラム未満である場合には、体重変化の傾向がよいと判定する。一方、いずれかの絶対値が５００グラム以上である場合には、さらに、最も日付が新しい日の起床時の体重と目標体重記憶手段９９に記憶されている体重との差の絶対値と、その前日の日付の起床時の体重と目標体重記憶手段９９に記憶されている体重との差の絶対値を比較する。そして、最も日付が新しい日の起床時の体重と目標体重記憶手段９９に記憶されている体重との差の絶対値の方がその前日の日付の起床時の体重と目標体重記憶手段９９に記憶されている体重との差の絶対値よりも小さければ、体重が目標の体重に近付いているものとみなし、体重変化の傾向がよいと判定する。一方、最も日付が新しい日の起床時の体重と目標体重記憶手段９９に記憶されている体重との差の絶対値の方がその前日の日付の起床時の体重と目標体重記憶手段９９に記憶されている体重との差の絶対値よりも大きいか両者が等しければ、体重変化の傾向がよくないと判定する。判定手段９８は、こうして得られた判定結果を提示手段４３に提示せしめる。
　【０１０３】
　なお、判定手段９８は、ある日とその前日の体重を比較するのに、起床時の体重を用いるのではなく、就寝前など、他の時間帯に測定された体重を用いてもよい。
　【０１０４】
　また、ある日とその前日の体重を比較するのではなく、期間指定手段７７により指定された期間の最初の日付と最後の日付の体重を用いてその期間において体重が目標体重記憶手段９９に記憶された体重に近付きつつあるか否かを判定してもよいし、期間指定手段７７の代わりに図６の日数指定手段６６を設け、直近の指定された日数における体重変化を判定するようにしてもよい。
　【０１０５】
　本参考例によれば、体重記憶手段７２に記憶された体重から、各日付における体重変化の傾向の良否を判定できるだけでなく、前日と比較して、あるいは指定された期間において、記憶された体重が目標とする体重に近付きつつあるのか否かも判定することができ、長期に渡る体重と、食生活の管理を補助することが可能となる。
　【０１０６】
　（実施例３）
　体重入力手段１１を図１０のように構成してもよい。
　【０１０７】
　図１０において、１１ａは体重の値を一時的に保持する保持手段、１１ｂは保持手段１１ａに保持されている値を表示する表示手段、１１ｃは保持手段１１ａに保持されている値を増加させるよう指示する増加指示手段、１１ｄは保持手段１１ａに保持されている値を減少させるよう指示する減少指示手段、１１ｅは保持手段１１ａに保持されている値を体重記憶手段７２に記憶せしめるよう指示する記憶指示手段である。
　【０１０８】
　増加指示手段１１ｃ、減少指示手段１１ｄ、記憶指示手段１１ｅは、それぞれ独立した押しボタンやキーボード上の特定のキーとして実現してもよいし、あるいは、表示手段１１ｂ上に各手段に対応するアイコンやボタンなどを表示し、それをマウスやペンなどのポインティングデバイスで操作することにより実現してもよい。また、表示手段１１ｂは、図４の表示手段４３ｂと共用しても構わない。　
　【０１０９】
　図１１に、増加指示手段１１ｃ、減少指示手段１１ｄ、記憶指示手段１１ｅを表示手段１１ｂ上に表示し、ポインティングデバイスたるペンによる入力で操作すると想定した場合の、表示手段１１ｂの表示画面の例を示す。なお、図１１では、時間帯指定手段１０も表示手段１１ｂ上の表示とペン入力で実現している。
　【０１１０】
　以下、この体重入力手段１１の動作を説明する。
　体重入力時には、ユーザは、まず、体重計により体重を測定する。この後、時間帯指定手段１０を操作して、ずなわち、表示手段１１ｂ上に表示された四つのアイコン「起床時」、「朝食後」、「夕食後」、「就寝前」のいずれか一つをペンで選択することにより、体重を測定した時間帯を指定する。
　【０１１１】
　ユーザにより時間帯が選択されると、保持手段１１ａは、体重記憶手段７２中に最も新しい日付に対応付けて記憶されている体重のうち、時間帯指定手段１０により指定された時間帯の体重を読み出し、読み出した体重を保持する。従って、毎日各時間帯に体重を測定し、その体重をその日のうちに体重記憶装置に記憶させるならば、前日の同じ時間帯に測定した体重が、体重記憶手段７２から読み出され、保持手段１１ａに保持されることになる。
　【０１１２】
　保持手段１１ａは、この保持した体重を、表示手段１１ｂに、時間帯指定手段１０により指定された時間帯に対応付けて表示せしめる。
　【０１１３】
　例えば、時間帯指定手段１０により指定された時間帯が起床時であり、体重記憶手段７２から読み出された体重が５２．３ｋｇであった場合には、図１１の保持手段１１ａ上の「起床時」のすぐ右側に、「５２．３ｋｇ」と表示される。
　【０１１４】
　この後、ユーザは、表示手段１１ｂに表示された体重を参照しながら、その表示されている体重を、増加指示手段１１ｃをペンで選択して増加させ、あるいは、減少指示手段１１ｄをペンで選択して減少させて、表示手段１１ｂに表示される体重を、体重計により測定した体重と一致させた後、記憶指示手段１１ｅをペンで選択する。
　【０１１５】
　増加指示手段１１ｃは、ペンで選択されると、保持手段１１ａに体重増加命令を供給する。
　【０１１６】
　減少指示手段１１ｄは、ペンで選択されると、保持手段１１ａに体重減少命令を供給する。
　【０１１７】
　記憶指示手段１１ｅは、ペンで選択されると、保持手段１１ａに記憶指示命令を供給する。
　【０１１８】
　保持手段１１ａは、増加指示手段１１ｃから体重増加命令が供給されたとき、保持している体重を０．１ｋｇ増加させ、増加させた値を新たに保持するとともに、この新たな値を表示手段１１ｂに表示せしめる。一方、減少指示手段１１ｄから体重減少命令が供給されたときには、保持している体重を０．１ｋｇ減少させ、減少させた値を新たに保持するとともに、この新たな値を表示手段１１ｂに表示せしめる。
　【０１１９】
　また、保持手段１１ａは、記憶指示手段１１ｅから記憶指示命令が供給されたとき、保持している体重を体重記憶手段７２に供給して記憶せしめる。
　【０１２０】
　本実施例によれば、ユーザが体重入力手段１１を操作して体重を入力する際に、前日の同じ時間帯に測定した体重が表示手段１１ｂに表示されるとともに、増加指示手段１１ｃおよび減少指示手段１１ｄの操作により、その日の体重が前日と比較してどの程度増減したかを常にユーザに意識させるので、ユーザに、食生活全般を含む一日の生活が、日々の体重にどのように反映されるかを明確に意識付けることができ、体重を通して、食生活全般を含む一日の生活をより上手に管理することが可能になる。
　【０１２１】
　（参考例６）
　体重入力手段１１を図１２のように構成してもよい。
　【０１２２】
　図１２において、体重入力手段１１は、いわゆる体重計と同様に体重を測定する体重測定手段１１ｆと、体重データを無線電波にのせて送信する送信手段１１ｇと、送信手段１１ｇにより送信された体重データを受信する受信手段１１ｈを内蔵している。
　【０１２３】
　この体重入力手段１１は、物理的には、体重測定手段１１ｆと送信手段１１ｇからなる第一の部分と、受信手段１１ｈからなる第二の部分とに分かれている。
　【０１２４】
　以下、本参考例の体重入力手段の動作を説明する。
　体重測定手段１１ｆは、通常の体重計と同様にして、ユーザの体重を測定した後、測定した体重データを送信手段１１ｇへと供給する。
　【０１２５】
　送信手段１１ｇは、供給された体重データを無線電波にのせて送信する。
　受信手段１１ｈは、送信手段１１ｇにより送信された体重データを受信し、受信した体重データを、体重記憶手段７２に供給する。
　【０１２６】
　本参考例によれば、ユーザが体重記憶装置に記憶させる際に、一旦体重を体重計で測定した後、わざわざ測定値を読み取ってテンキーなどで数値を入力する必要がなくなり、体重管理が容易になる。
　【０１２７】
　また、従来の、一日に一度、ほぼ同じ時間に測定された体重を記憶する体重記憶装置と比較して、本発明の体重記憶装置は、ユーザが体重を記憶すべき回数が多いので、体重が自動的に記憶されることの有用性は一層大きなものとなる。
　【０１２８】
　また、通常の体重計と同様にかさばりがちな体重測定手段１１ｆは送信手段１１ｇと共に体重記憶装置の他の部分と物理的に分離した構成となっているので、体重測定手段１１ｆと送信手段１１ｇを除いた体重記憶装置を持ち歩くことが容易であり、体重記憶装置を管理栄養士やエステティシャンなどの専門家のところへ持って行き、体重記憶装置に記憶されている体重に基づいてカウンセリングやアドバイスを受けるのが容易になる。
　【０１２９】
　（実施例４）
　時間帯指定手段１０および日付指定手段３４を図１３のように構成してもよい。
　【０１３０】
　図１３において、時間帯指定手段１０は、カレンダー機能つきのディジタル時計に用いられるのと同様の時計用集積回路１０ａと、時刻と時間帯を対応付ける変換テーブル１０ｂと、変換テーブル１０ｂに基づき時刻を時間帯に変換する変換手段１０ｃとを内蔵しており、日付指定手段３４は、時計用集積回路１０ａから年月日を読み取る日付読取手段３４ａを備えている。
　【０１３１】
　時計用集積回路１０ａは、常時、時、分、秒からなる時刻情報と、年、月、日からなる日付情報をカウントしている。なお、以下の説明の都合上、時刻情報は２４時間制でカウントしているものとする。
　【０１３２】
　変換テーブル１０ｂは、（表１）に示すように、５時００分００秒から６時２９分５９秒までを起床時に、６時３０分００秒から９時５９分５９秒までを朝食後に、１８時００分００秒から１９時５９分５９秒までを夕食後に、２２時００分００秒から２３時５９分５９秒まで、および、０時００分００秒から１時２９分５９秒までを就寝時に対応付けて記憶している。
　【０１３３】
　【表１】
　【０１３４】
　変換手段１０は、時計用集積回路１０ａから時刻情報を読み出し、次いで、変換テーブル１０ｂに記憶されている時刻情報と時間帯の対応関係を読み出し、時計用集積回路１０ａから読み出した時刻情報に対応する時間帯を体重記憶手段７２へと供給する。例えば、時計用集積回路１０ａから読み出した時刻情報が１９時１３分２１秒であった場合には、時間帯として「夕食後」を体重記憶手段７２へと供給する。
　【０１３５】
　一方、日付指定手段３４は、時計用集積回路１０ａから日付情報を読み取り、読み取った日付情報をそのまま体重記憶手段７２へと供給する。
　【０１３６】
　なお、変換テーブル１０ｂの内容は、ユーザが適宜変更できるようにしてもよし、変換テーブル１０ｂに記されていない時刻に体重が入力される可能性がある場合には、図２の時間帯指定手段１０を併用し、変換テーブル１０ｂに記されている時間帯に体重が入力された場合には変換手段１０ｃにより時間帯を自動的に決定し、変換テーブル１０ｂに記されていない時間帯に体重が入力された場合には図２の時間帯指定手段１０と同様に、ユーザの操作に基づき時間帯を指定するようにしてもよい。
　【０１３７】
　本実施例によれば、体重記憶手段に体重を記憶させる時刻に応じて、自動的に、その体重に対応する時間帯と日付を決定することが可能となるので、体重記憶装置に体重を記憶させる操作を簡略化することが可能となる。
　【０１３８】
　（実施例５）
　時間帯指定手段１０を図１４のように構成してもよい。
　【０１３９】
　図１４において、時間帯指定手段１０は、日付指定手段３４により指定された日付に対応して体重記憶手段７２に記憶されている体重群を読み出す体重読出手段１０ｄと、体重読出手段１０ｄにより読み出された体重の個数を計数する計数手段１０ｅと、計数手段１０ｅの計数結果に基づき時間帯を決定する時間帯決定手段１０ｆとを備えている。
　【０１４０】
　体重を体重記憶装置に記憶させる際、日付指定手段３４により日付が指定されると、体重読出手段１０ｄは、体重記憶手段７２から、日付指定手段３４により指定された体重と対応付けて記憶されている体重を全て読み出す。
　【０１４１】
　計数手段１０ｅは、体重読出手段１０ｄにより体重がいくつ読み出されたかを計数する。
　【０１４２】
　時間帯決定手段１０ｆは、計数手段１０ｅの計数結果が０であるならば時間帯が起床時であると決定し、計数結果が１であるならば時間帯が朝食後であると決定し、計数結果が２であるならば時間帯が夕食後であると決定し、計数結果が３であるならば時間帯が就寝時であると決定して、決定した時間帯を体重記憶手段７２へと供給する。
　【０１４３】
　本実施例によれば、図１３の実施例とは異なり、体重を体重記憶装置に記憶させる時刻と無関係に、その日体重を記憶させるのが何度目であるかだけに基づいて時間帯を自動的に決定するので、仕事に出かける平日と休日とでは生活リズムが全く異なるような人に対しても、平日と休日とで変換テーブル１０ｂをわざわざ書き換えたりすることなく、自動的に時間帯を指定することが可能となる。
　【０１４４】
　なお、この発明は、上記参考例および実施例のみに限定されるものではなく、要旨を変更しない範囲で適宜変形して実施できる。
　【０１４５】
　例えば、各参考例および各実施例における時間帯指定手段、体重入力手段、日付指定手段、動作指示手段などは、提示手段中に液晶表示器などの表示器を設けてその画面上に表示し、マウスやペンなどのポインティングデバイスにより操作するようにしてもよいし、文字認識を行なわせるようにしても構わない。このようにすれば、体重記憶装置全体を小型化することが可能となる。
　【０１４６】
　また、時間帯に、「排便前」、「排便後」という区分を設けてもよい。このようにすれば、体重の記録からお通じのよさも推測できるようになり、体重記憶装置を、生活全般に渡る健康管理を補助する手段として、より広く活用することが可能となる。
　【０１４７】
　【発明の効果】
　以上、様々な例を用いて示したように、本発明の体重記憶装置によれば、単に体重の減少の様子を記憶するだけでなく、欠食の発生や、夕食の時刻と就寝時刻との時間差など、食生活全般にかかわる管理を、体重を通して行なうことが可能になるという効果が得られるとともに、体重記憶手段に記憶された体重のうち時間帯指定手段により指定された時間帯に対応する体重のみを提示することにより、長期間に渡る体重変化の様子を、一日における細かな体重変化を省略して分かり易く提示可能になるというすぐれた効果が得られる。
　【０１４８】
　また、体重の変化をグラフ化して表示することにより、日々の体重変化の様子を、ユーザに視覚的、直感的に提示でき、ユーザが、そのグラフの形状から、欠食の有無や夕食の時刻と就寝時刻との時間差などを一目で判定可能となるという効果が得られるとともに、体重記憶手段に記憶された体重のうち時間帯指定手段により指定された時間帯に対応する体重のみをグラフ化することにより、長期間に渡る体重変化の様子を、一日における細かな体重変化を省略して、ユーザに分かり易く、視覚的、直感的に提示できるという効果が得られる。
　【０１４９】
　また、すでに体重記憶手段に記憶されている体重を保持手段に読み出し、それを提示手段に提示せしめながら、増加指示手段および減少指示手段により増減させて体重を入力することにより、体重を入力する際に、その日の体重が前日と比較してどの程度増減したかを常にユーザに意識させるので、ユーザに、食生活全般を含む一日の生活が、日々の体重にどのように反映されるかを明確に意識付け、体重を通して、食生活全般を含む一日の生活をより上手に管理することが可能になる。
　【０１５０】
　また、時間帯指定手段が時計が示す時刻に基づき時間帯を自動的に指定するので、体重を記憶させる操作が容易になるという効果が得られる。
　【０１５１】
　また、時間帯指定手段が日付指定手段により指定された日付に対応付けてすでに体重記憶手段に記憶されている体重の個数に基づき時間帯を自動的に決定するので、体重を記憶させる操作が容易になるという効果が得られる。
【図面の簡単な説明】
　【図１】
　本発明の参考例１における体重記憶装置のブロック図
　【図２】
　同体重記憶装置の概観図
　【図３】
　本発明の実施例１における体重記憶装置のブロック図
　【図４】
　本発明の実施例２における提示手段のブロック図
　【図５】
　表示手段４３ｂの表示画面の例を示す図
　【図６】
　本発明の参考例２における体重記憶装置のブロック図
　【図７】
　本発明の参考例３における体重記憶装置のブロック図
　【図８】
　本発明の参考例４における体重記憶装置のブロック図
　【図９】
　本発明の参考例５における体重記憶装置のブロック図
　【図１０】
　本発明の実施例３における体重入力手段のブロック図　
　【図１１】
　同表示手段１１ｂの表示画面の例を示す図
　【図１２】
　本発明の参考例６における体重入力手段のブロック図
　【図１３】
　本発明の実施例４における時間帯指定手段および日付指定手段のブロック図
　【図１４】
　本発明の実施例５における時間帯指定手段のブロック図
　【符号の説明】
　１０　時間帯指定手段
　１１　体重入力手段
　１１ａ　保持手段
　１１ｂ　表示手段
　１１ｃ　増加指示手段
　１１ｄ　減少指示手段
　１１ｅ　記憶指示手段
　１１ｆ　体重測定手段
　１１ｇ　送信手段
　１１ｈ　受信手段
　１２、３２、６２、７２　体重記憶手段
　１３、４３　提示手段
　３４　日付指定手段
　４３ａ　グラフ生成手段
　４３ｂ　表示手段
　６６　日数指定手段
　７７　期間指定手段
　８８、９８　判定手段
　９９　目標体重記憶手段